【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】マイクロホン装置、再生音声信号の処理装置、音声信号の風音低減装置及び音声信号の風音低減方法
【手続補正２】
【補正対象書類名】明細書
【補正対象項目名】特許請求の範囲
【補正方法】変更
【補正の内容】
【特許請求の範囲】
【請求項１】  複数のマイクロホンユニットと、
該複数のマイクロホンユニットよりの複数の音声信号に基づく左及び右チャンネル音声信号のうちの一方の音声信号から他方の音声信号を減算して、差分音声信号を得る減算手段と、
該減算手段よりの差分音声信号が供給されて、風音信号の帯域成分を抽出する第１の抽出手段と、
該第１の抽出手段よりの抽出信号が供給される第１の可変利得手段と、
上記一方の音声信号から、上記可変利得手段の出力信号を減算する第１の演算手段と、
上記他方の音声信号及び上記可変利得手段の出力信号を加算する第２の演算手段と、
上記第１及び第２の演算手段の出力信号を加算する加算手段と、
該加算手段の出力信号が供給されて、上記風音信号の帯域成分を抽出する第２の抽出手段と、
該第２の抽出手段よりの抽出信号が供給される第２の可変利得手段と、
上記第１及び第２の演算手段からの出力信号から、上記第２の可変利得手段の出力信号を減算する第３及び第４の演算手段と、
上記減算手段よりの差分音声信号が供給されて、上記風音信号の低域成分を抽出する第３の抽出手段と、
該第３の抽出手段よりの抽出信号が供給されて、上記風音信号の調整可能なレベル検波信号を発生する検波手段とを有し、
該検波手段よりのレベル検波信号によって、上記第１及び第２の可変利得手段の利得を可変することを特徴とするマイクロホン装置。
【請求項２】  記録媒体より再生された、それぞれ風音信号を含む複数の音声信号に基づく左及び右チャンネル音声信号のうちの一方の音声信号から他方の音声信号を減算して、差分音声信号を得る減算手段と、
該減算手段よりの差分音声信号が供給されて、風音信号の帯域成分を抽出する第１の抽出手段と、
該第１の抽出手段よりの抽出信号が供給される第１の可変利得手段と、
上記一方の音声信号から、上記可変利得手段の出力信号を減算する第１の演算手段と、
上記他方の音声信号及び上記可変利得手段の出力信号を加算する第２の演算手段と、
上記第１及び第２の演算手段の出力信号を加算する加算手段と、
該加算手段の出力信号が供給されて、上記風音信号の帯域成分を抽出する第２の抽出手段と、
該第２の抽出手段よりの抽出信号が供給される第２の可変利得手段と、
上記第１及び第２の演算手段からの出力信号から、上記第２の可変利得手段の出力信号を減算する第３及び第４の演算手段と、
上記減算手段よりの差分音声信号が供給されて、上記風音信号の低域成分を抽出する第３の抽出手段と、
該第３の抽出手段よりの抽出信号が供給されて、上記風音信号の調整可能なレベル検波信号を発生する検波手段とを有し、
該検波手段よりのレベル検波信号によって、上記第１及び第２の可変利得手段の利得を可変することを特徴とする再生音声信号の処理装置。
【請求項３】  それぞれ風音信号を含む複数の音声信号に基づく左及び右チャンネル音声信号のうちの一方の音声信号から他方の音声信号を減算して、差分音声信号を得る減算手段と、
該減算手段よりの差分音声信号が供給されて、風音信号の帯域成分を抽出する第１の抽出手段と、
該第１の抽出手段よりの抽出信号が供給される第１の可変利得手段と、
上記一方の音声信号から、上記可変利得手段の出力信号を減算する第１の演算手段と、
上記他方の音声信号及び上記可変利得手段の出力信号を加算する第２の演算手段と、
上記第１及び第２の演算手段の出力信号を加算する加算手段と、
該加算手段の出力信号が供給されて、上記風音信号の帯域成分を抽出する第２の抽出手段と、
該第２の抽出手段よりの抽出信号が供給される第２の可変利得手段と、
上記第１及び第２の演算手段からの出力信号から、上記第２の可変利得手段の出力信号を減算する第３及び第４の演算手段と、
上記減算手段よりの差分音声信号が供給されて、上記風音信号の低域成分を抽出する第３の抽出手段と、
該第３の抽出手段よりの抽出信号が供給されて、上記風音信号の調整可能なレベル検波信号を発生する検波手段とを有し、
該検波手段よりのレベル検波信号によって、上記第１及び第２の可変利得手段の利得を可変することを特徴とする音声信号の風音低減装置。
【請求項４】  請求項１に記載のマイクロホン装置において、
上記検波手段は、上記第３の抽出手段よりの抽出信号が供給される第３の可変利得手段と、
該第３の可変利得手段の出力信号が供給される絶対値化手段と、
該絶対値化手段の出力信号が供給される、クリップレベル可変型ベースノイズクリップ手段と、
該クリップレベル可変型ベースノイズクリップ手段よりの出力信号が供給されるレベル検波手段と、
該レベル検波手段の出力信号が供給される、最大リミッタ値可変型最大値リミッタ手段とを備えることを特徴とするマイクロホン装置。
【請求項５】  請求項２に記載の再生音声信号の処理装置において、
上記検波手段は、
上記第３の抽出手段よりの抽出信号が供給される第３の可変利得手段と、
該第３の可変利得手段の出力信号が供給される絶対値化手段と、
該絶対値化手段の出力信号が供給される、クリップレベル可変型ベースノイズクリップ手段と、
該クリップレベル可変型ベースノイズクリップ手段よりの出力信号が供給されるレベル検波手段と、
該レベル検波手段の出力信号が供給される、最大リミッタ値可変型最大値リミッタ手段とを備えることを特徴とする再生音声信号の処理装置。
【請求項６】  請求項３に記載の音声信号の風音低減装置において、
上記検波手段は、
上記第３の抽出手段よりの抽出信号が供給される第３の可変利得手段と、
該第３の可変利得手段の出力信号が供給される絶対値化手段と、
該絶対値化手段の出力信号が供給される、クリップレベル可変型ベースノイズクリップ手段と、
該クリップレベル可変型ベースノイズクリップ手段よりの出力信号が供給されるレベル検波手段と、
該レベル検波手段の出力信号が供給される、最大リミッタ値可変型最大値リミッタ手段とを備えることを特徴とする音声信号の風音低減装置。
【請求項７】  それぞれ風音信号を含む複数の音声信号に基づく左及び右チャンネル音声信号のうちの一方の音声信号から他方の音声信号を減算して、差分音声信号を得る減算処理と、
上記減算処理で得られた差分音声信号から風音信号の帯域成分を抽出する第１の抽出処理と、
該第１の抽出処理で得られた抽出信号を可変利得増幅する第１の可変利得処理と、
上記一方の音声信号から、上記第１の可変利得処理された出力信号を減算する第１の演算処理と、
上記他方の音声信号及び上記第１の可変利得処理された出力信号を加算する第２の演算処理と、
上記第１及び第２の演算処理された出力信号を加算する加算処理と、
該加算処理された出力信号から、上記風音信号の帯域成分を抽出する第２の抽出処理と、
該第２の抽出処理で得られた抽出信号を可変利得増幅する第２の可変利得処理と、
上記第１及び第２の演算処理された出力信号から、上記第２の可変利得処理された出力信号を減算する第３及び第４の演算処理と、
上記減算処理された差分音声信号が供給されて、上記風音信号の低域成分を抽出する第３の抽出処理と、
該第３の抽出処理で得た抽出信号が供給されて、上記風音信号の調整可能なレベル検波信号を発生する検波処理とを行い、
該検波処理で得たレベル検波信号によって、上記第１及び第２の可変利得処理の利得を可変することを特徴とする音声信号の風音低減方法。
【手続補正３】
【補正対象書類名】明細書
【補正対象項目名】０００１
【補正方法】変更
【補正の内容】
【０００１】
【発明の属する技術分野】
本発明は、風雑音を電気的に低減するようにしたマイクロホン装置、再生音声信号の処理装置、音声信号の風音低減装置及び音声信号の風音低減方法に関する。